(57)【特許請求の範囲】
【請求項１】
ディスク状の情報記憶媒体を内蔵するディスク本体；
該ディスク本体を固定保持するケース；
ブラケット；
該ブラケットに対する前記ケースの着脱のための相対的な移動を案内する案内部材；
前記ブラケットとケースの一方にあって、先端が他方に向かい基部が該一方に固定の、ばね力があって前記相対的な移動の方向に延び、該先端が他方に圧接する、該移動の方向に分布する複数のばね部材；および、
前記ブラケットにケースを装着した組み上げ状態で前記ばね部材に向けて突出し前記ばね部材が圧接する、前記他方にある小突起；
を備えるディスク装置。
【請求項２】
前記複数のばね部材は、前記先端が前記他方の側面に対向する第１組と、前記他方の、該側面と直交する平面に対向する第２組とを含む；請求項１に記載のディスク装置。
【請求項３】
前記第１組は、前記他方の第１側面に対向する複数個と、第１側面の反対側の第２側面に対向する複数個とを含む；請求項２に記載のディスク装置。
【請求項４】
前記小突起は、前記第１側面および第２側面にあって、前記側面と連続し側面の一部分である；請求項３に記載のディスク装置。
【請求項５】
前記第１側面に対向するばね部材，第２側面に対向するばね部材および平面に対向する第２組のばね部材は、前記移動の方向に直交する平面が前記他方と交わる位置において前記他方に圧接する；請求項４に記載のディスク装置。
【請求項６】
前記ディスク本体は前記ケースに、前記移動の方向に直交する横方向一直線上の複数点で固定され；前記平面は該一直線を含む平面である；請求項５に記載のディスク装置。
【請求項７】
前記一方は前記ブラケット、他方は前記ケースであって、前記案内部材は前記ケースを下支えして前記移動を案内し、前記ケースの側面と直交する前記平面は、該側面から折った前記移動の方向に延びる折り返しレールである；請求項２に記載のディスク装置。
【請求項８】
前記ばね部材は、前記他方に向けて凸に曲がった板ばねである；請求項１に記載のディスク装置。
【請求項９】
前記ブラケットは、金属板のプレス抜きにより形成され、前記ばね部材はその基部を除く外側部分のプレス抜きにより形成された；請求項１乃至８のいずれか１つに記載のディスク装置。
【請求項１０】
前記ケースは、金属板のプレス抜きにより形成された、請求項９に記載のディスク装置。
【発明の詳細な説明】
【技術分野】
【０００１】
本発明は、情報記憶媒体を内蔵するディスク装置に関し、特に、ディスク本体を制振保持する構造に関する。
【背景技術】
【０００２】
【特許文献１】特開２００５−１３５５６４号公報
【特許文献２】特開２００７−１４１３８８号公報
【特許文献３】特許第３１２３９４３号公報。
【０００３】
特許文献１には、ハードディスク，駆動モータ，読み書きヘッドおよびヘッドアクチュエータを備えたディスク本体を、下カバーに挿入し、該ディスク本体上に制御回路基板を載せて、上カバーを被せて下カバーと結合し、他の電子機器の受け入れスロットに差し込むディスク装置が記載されている。上カバーには、制御回路基板上の接続端子が露出する開口があり、この開口を通して、電子機器のコネクタ導体が制御回路基板上の接続端子に接触する。
【０００４】
特許文献２には、ＨＤＤ本体に固着したサポート板と支持ブラケットの間に、ゴム材からなる防振対策用のクッションを介挿して、サポート板のフック部をブラケットの係入孔に挿入して係止することにより、ＨＤＤ本体をブラケットに固定したＨＤＤ装置が記載されている。
【０００５】
特許文献３には、カセット保持体およびスライド部材からなるローディング機構を、底面および両側面に、取付用ねじ穴を持つボトムケースに保持し、別ピースとしてヘッド位置決め機構およびディスク駆動機構を基板に取り付けることにより歪の伝搬を抑え、ボトムケースにより、ノイズ，ダストの侵入を防止するフロッピー（登録商標）ディスク装置が記載されている。
【０００６】
ところで、車両上のカーナビゲーションシステムに用いられるＨＤＤは、メンテナンスのためＨＤＤが着脱できる構造が要求される。そこで、ＨＤＤ本体をケースに収納してねじ止めし、このケースをブラケットに挿入するスライド構造を採用して着脱機能を確保し、しかも該スライド構造によって、ケース（ＨＤＤ本体）を保持し、ＨＤＤ本体のコネクタをブラケット側コネクタに対して着脱（結合／分離）する、ＨＤＤ装置が提案された。
【発明の開示】
【発明が解決しようとする課題】
【０００７】
しかし、ブラケットに対するＨＤＤ収納ケースの着脱を容易にするための微小な隙間がブラケットとケースの間にあるので、車両の振動によるブラケットの振動によって、ＨＤＤ収納ケースが振られる。特に、共振時には、ＨＤＤ収納ケースに強いＧ（加速度）が発生し、ＨＤＤの書込み，読み取り動作が不安定になるおそれがある。
【０００８】
本発明は、ディスク本体への、振動伝播を抑制することを目的とする。
【課題を解決するための手段】
【０００９】
（１）上記目的を達成するために、本発明のディスク装置は、ディスク状の情報記憶媒体を内蔵するディスク本体(1)；該ディスク本体を固定保持するケース(2)；ブラケット(4)；および、該ブラケット(4)に対する前記ケース(2)の着脱のための相対的な移動(F,B)を案内する案内部材(41)；および、前記ブラケット(4)とケース(2)の一方(4)にあって、先端が他方(2)に向かい基部が該一方(4)に固定の、ばね力があって前記相対的な移動(F)の方向に延び、該先端が他方(2)に圧接する、該移動(F)の方向に分布する複数のばね部材(42a〜42d,43a〜43d)；に加えて、
前記ブラケット(4)にケース(2)を装着した組み上げ状態で前記ばね部材(42a〜42d)に向けて突出しばね部材が圧接する、前記他方(2)にある小突起(23a〜23d)；を備える。
【００１０】
なお、理解を容易にするためにカッコ内には、図面に示し後述する実施例の対応又は相当要素の記号を、例示として参考までに付記した。以下も同様である。
【発明の効果】
【００１１】
ばね部材(42a〜42d,43a〜43d)の基部が、ブラケット(4)とケース(2)の一方(4)に固定であって、移動方向(F)に延びた先端（自由端）が、他方(2)に圧接するので、一方(4)が振動しても、この振動はばね部材によって吸収されて他方(2)への伝播が抑制される。即ち制振効果がある。ばね部材に小突起(23a〜23d)が圧接するので、接触が確実でありしかも前記移動(F,B)に対する摩擦抵抗は小さく、移動が滑らかである。
【００１２】
（２）本発明の好ましい実施例では、上記（１）の前記複数のばね部材(42a〜42d,43a〜43d)は、前記先端が前記他方(2)の側面(21a,21b)に対向する第１組(42a〜42d)と、前記他方(2)の、該側面と直交する平面(22a,22b)に対向する第２組(43a〜43d)とを含む。
【００１３】
これによれば、第１組のばね部材(42a〜42d)によって、たとえば横方向(x)での、ブラケット(4)からケース(2)への振動伝播が抑制される。すなわち横方向の制振効果が得られる。また、第２組のばね部材(43a〜43d)によって、たとえば上下方向(z)での、ブラケット(4)からケース(2)への振動伝播が抑制される。すなわち上下方向の制振効果が得られる。
【００１４】
（３）上記（２）の前記第１組は、前記他方の第１側面(21a)に対向する複数個(42a,42c)と、第１側面(21a)の反対側の第２側面(21b)に対向する複数個(42b,42d)とを含む。これによれば、例えばケース(2)の相対向２側面(21a,21b)を対向方向に押すように、第１組のばね部材(42a,42c/42b,42d)がケース(2)を押すので、横方向(x)の制振効果が更に高い。
【００１５】
（４）前記小突起(23a〜23d)は、前記第１側面(21a)および第２側面(21b)にあって、前記側面と連続し側面の一部分である。これによれば、ばね部材に小突起(23a〜23d)が圧接するので、接触が確実でありしかも前記移動(F,B)に対する摩擦抵抗は小さく、移動が滑らかである。
【００１６】
（５）上記（４）の前記第１側面に対向するばね部材(42a)，第２側面に対向するばね部材(42b)および平面に対向する第２組のばね部材(43a,43b)は、前記移動の方向(F)に直交する平面(PL)が前記他方(2)と交わる位置において前記他方(2)に圧接する。これによれば、前記移動の方向(F)の同一位置において、第１組および第２組のばね部材(42a,43a,43b,42b)が他方(2)をばね力をもって押さえるので、ケース(2)を構成する金属板の共振振動を効果的に抑制できる。
【００１７】
（６）上記（５）の前記ディスク本体(1)は前記ケース(2)に、前記移動の方向(F)に直交する横方向一直線(x)上の複数点(3a,3b)で固定され；前記平面は該一直線を含む平面(PL)である。これによれば、ディスク本体(1)を固定している位置(3a,3b)において、第１組および第２組のばね部材(42a,43a,43b,42b)が他方(2)をばね力をもって押さえるので、ディスク本体(1)を一体化したケース(2)の共振振動を効果的に抑制できる。
【００１８】
（７）上記（２）の前記一方は前記ブラケット(4)、他方は前記ケース(2)であって、前記案内部材(41)は前記ケース(2)を下支えして前記移動(F,B)を案内し、前記ケース(1)の側面(21a,21b)と直交する前記平面(21a,21b)は、該側面から折った前記移動(F)の方向に延びる折り返しレール（22a,22b）である。これによれば、ばね部材(43a〜43d)がレール（22a,22b）に圧接して、案内部材(41)に対するケース(2)の浮き方向の振動を抑制する。レール（22a,22b）に対するばね部材(43a〜43d)の摺動（スライド）の抵抗は小さく、摺動が滑らかである。
【００１９】
（８）上記（１）の前記ばね部材(42a〜42d,43a〜43d)は、前記他方(2)に向けて凸に曲がった板ばねである。これによれば、ケース(2)をブラケット(4)に差し込む挿入方向(F)およびケース(2)をブラケット(4)から取り外す引き出し方向(B)のいずれにおいても、ばね部材の先端（自由端）が前記他方(2)の小突起に引っかかることなく、滑らかに摺接する。ブラケット(4)に対してケース(2)を、よりスムースに挿脱できる。
【００２０】
（９）上記（１）乃至（８）の前記ブラケット(4)は、金属板のプレス抜きにより形成され、前記ばね部材はその基部を除く外側部分のプレス抜きにより形成されたものである。プレス抜きによりブラケットの製造は容易であり、ばね部材がブラケットの一部であって一体連続であるので、ばね部材付きブラケットの製造が容易である。また、ブラケットが金属製であるので容易に機器アース電位にすることが出来る。
【００２１】
（１０）上記（９）の前記ケース(2)は、金属板のプレス抜きにより形成されたものである。これによりケース(2)の製造が容易であると共に、ケース(2)とブラケット(4)の間がばね部材により電気的に接続状態となり、ブラケットを機器アース電位にするとケース(2)も自動的に機器アース電位となり、ディスク本体(1)の機器アース導体をケース(2)に電気接続することにより、ディスク本体(1)もブラケットの機器アース電位とすることが出来る。
【発明を実施するための最良の形態】
【００２２】
本発明の他の目的および特徴は、図面を参照した以下の実施例の説明より明らかになろう。
【実施例１】
【００２３】
図１に、本発明の一実施例であるＨＤＤ装置を示す。図１の（ａ）は平面図、（ｂ）は左側面図、（ｃ）は右側面図である。このＨＤＤ装置は、車両に搭載して地図情報，道路情報等をナビゲーションシステムに提供するものである。図２には、図１に示すＨＤＤ装置の分解図を、図３にはブラケット４の一部の拡大図を、そして図４には、ブラケット４の後尾を、示す。
【００２４】
図２に示すＨＤＤ本体１がディスク本体であり、本実施例では、公知のＨＤＤ本体と同様にＨＤＤ本体１の内部には、ハードディスク，駆動モータ，読み書きヘッド，ヘッドアクチュエータおよび制御回路基板がある。該制御回路基板の尾端には、ケース挿入方向Ｆ（図２）に延びる多数のコネクタピンがある雄コネクタ（図示せず）がある。この雄コネクタは、ケース挿入方向Ｆに駆動されると、ブラケット４に装着したプリント配線板５の雌コネクタ５１とコネクタ結合するものである。ＨＤＤ本体１の底面には、前記制御回路基板の機器アース導体に電気的に接続した金属製の底板（図示せず）があって、該底板には４個の雌ねじ穴が開いている。
【００２５】
車体側の、図示しない金属製（導電性）の取り付け基板に載置してねじ止めされるブラケット４（図１〜４）に対して、ケース２が、図２に示す挿入方向Ｆ（ｙ）および引き外し方向Ｂに移動可能である。案内部材である、ブラケット４の案内レール４１が、ケース２を下支えする。ブラケット４には、該案内レール４１とｘ方向で対向する、図示を省略したもう一つの案内レールがある。ブラケット４およびケース２は、金属板のプレス抜きおよびプレス曲げによって成型したものである。
【００２６】
ケース２には、底板２４から立てた、第１，第２側面である第１，第２側面板２１ａ，２１ｂがあり、それらの上端はケース２の内空間側に折り曲げられて、挿入方向Ｆ（ｙ）に延びるレール２２ａ，２２ｂを形成している。第１，第２側面板２１ａ，２１ｂには、それぞれに５個の、ケース２の内側から外側に突出する略円錐形の第１群の小突起２３ａ，２３ｃおよび第２群の小突起２３ｂ，２３ｄが、プレスにより押し出し形成されている。第１群の小突起２３ａ，２３ｃおよび第２群の小突起２３ｂ，２３ｄはそれぞれ５個であり、各５個が挿入方向Ｆに並んでいる。ケース２の底板２４には、プレスにより４個のねじ受け台（上方ｚに突出する窪み）が形成されており、各台の中心にねじ通し穴２５ｄがある。ケース２の底板２４から面板２７が立て起こされており、面板２７にはねじ通し穴２８が開いている。なお、小突起２３ａ〜２３ｄは、円錐形に限らず、ケース２をブラケット４から引き出すときブラケット４の後述する板ばね４２ａ〜４２ｄの先端が当たる面が、該先端を押し上げる傾斜面となっているその他の突起、例えば４角錐，３角錐，半球体，切起こし１／４球体，一辺を残してプレス抜きした舌片等であってもよい。
【００２７】
ケース２の、レール２２ａ，２２ｂ間の空間（空隙）を通して、ＨＤＤ本体１を上方からケース内に挿入し、４個の金属ねじであるビス３ａ〜３ｄのそれぞれを、ケース２の底板２４の下方から、底板２４の４個のねじ通し穴２５ｄのそれぞれに通し、そしてＨＤＤ本体１の底面の金属製の底板に開いた４個の雌ねじ穴にねじ込むことによって、ＨＤＤ本体１をケース２に装着し固定する。これにより、ＨＤＤ本体１の雄コネクタ（図示せず）が、ケース２の、面板２７がある辺の反対側の辺（後尾辺）に位置し、ケース２をブラケット４に挿入すると、該雄コネクタが、ブラケット４の尾端辺部に装着されているプリント配線板５の雌コネクタ５１に、コネクタ結合する。
【００２８】
ブラケット４には、ケース２の第１，第２側面板２１ａ，２１ｂに、それらの外側から対向する第１，第２側面板があり、第１側面板には、ばね部材である板ばね４２ａ，４２ｃが、第２側面板には同様な板ばね４２ｂ，４２ｄ（図１の（ｂ））が、板ばねの一辺はブラケット４の板材と連続のまま、他辺の外周部をプレス抜きすることによって、形成されている。これらの板ばね４２ａ，４２ｃおよび４２ｂ，４２ｄは、ケース２に圧接するばね力を強くするために、ブラケット４の内空間側に、少々折り曲げられている。これらの板ばね４２ａ，４２ｃおよび４２ｂ，４２ｄはそれぞれ、挿入方向Ｆに延び各先端が、ブラケット４に装着したケース２の、小突起２３ａ，２３ｃおよび２３ｂ，２３ｄに圧接する位置に形成されている（図１の（ｂ），（ｃ））。
【００２９】
ブラケット４の第１，第２側面板の各下端は、内空間側に折り曲げられて、各案内レール４１となっている。ブラケット４のｘ，ｙ平面状の天板の、ケース２のレール２２ａおよび２２ｂに対向する位置にも、同様な板ばね４３ａ，４３ｃおよび４３ｂ，４３ｄが形成されている。ブラケット４の尾端側には、図４に示すように、プリント配線板５の係止用突起５７を受け入れる開口４５ならびに一対のプリント配線板支持片があり、これらの支持片に、ねじ受け穴であるビス穴４４ａ，４４ｂが開いている。ブラケット４の先端側には、天板から立て起こしたねじ止め片４７があり、それには、ケース２の面板２７の穴２８に対向する位置に、ねじ受け穴であるビス穴４６が開いている（図２，図４）。
【００３０】
プリント配線板５は、表裏面のそれぞれに機器アース導体（５２：表面のもの）があって、雌コネクタ５１が固着されたものである。雌コネクタ５１には、プリント配線板５の裏側で電気ケーブル（フラットケーブル）が接続されているが、その図示は省略した。ＨＤＤ本体１の雄コネクタの機器アースピンを受け入れる、雌コネクタ５１の接続端子は、電気ケーブルの機器アース線に接続されていると共に、プリント配線板５の表裏面の機器アース導体５２にも接続されている。プリント配線板５の係止用突起５７をブラケット４の開口４５に挿入し、プリント配線板５の表面の機器アース導体５２をブラケット４の配線板支持片（図４）に当てて、金属ねじであるビス５５，５６をプリント配線板５のねじ通し穴５３，５４に通してから、ブラケット４の配線板支持片のビス穴４４ａ，４４ｂ（図４）にねじ込むことによって、プリント配線板５がブラケット４に一体固定となる。このようにプリント配線板５をブラケット４に装着した状態では、プリント配線板５の表面の機器アース導体５２は、直接にブラケット４と接触（電気接続）しており、裏面の機器アース導体は、ビス５５，５６を通してブラケット４と電気接続している。
【００３１】
ブラケット４の尾端側の配線板支持片にプリント配線板５を装着し、該ブラケット４の先端側の開口に、ＨＤＤ本体１を装着したケース２を、案内レール４１の上を滑らすように挿入して挿入方向Ｆに押し込み、ＨＤＤ本体１の雄コネクタがプリント配線板５の雌コネクタ５１に結合してから、面板２７の穴２８にビス２９（図１）を通してブラケット４のビス穴４６にねじ込むことにより、ＨＤＤ装置が図１に示すように組みあがる。
【００３２】
なお、図１でも、プリント配線板５の雌コネクタ５１に接続した電気ケーブルの図示は省略している。この組み立てのとき、ブラケット４のねじ止め片４７の、ビス穴４６の下部が、ストッパとなるようにブラケット４の天板よりも下方に突出しているので、仮に、ケース２を上下逆にして（ＨＤＤ本体１が下方となる下向き姿勢で）、ブラケット４に挿入しようとしても、底板２４の尾端がねじ止め片４７のストッパ部分につかえるので、挿入できない。すなわちねじ止め片４７には、誤った姿勢での装着を防止するストッパ機能もある。
【００３３】
図１に示すＨＤＤ装置においては、ＨＤＤ本体１（図２）を装着したケース２（図２）は、ブラケット４の案内レール４１（図２）で下支えされ、ブラケット４の板ばね４３ａ〜４３ｄの先端（自由端）が、ケース２のレール２２ａ，２２ｂを、ばね力を持って下方向に、すなわちケース２を案内レール４１に押し付けるように、押さえる。これにより板ばね４３ａ〜４３ｄは、ケース２にブラケット４から伝播する上下方向ｚの振動を吸収する。すなわち、ブラケット４からケース２への、上下方向ｚの振動の伝播、を抑制する。
【００３４】
また、図１の（ｂ）および（ｃ）に示す、ブラケット４の板ばね４２ａ〜４２ｄの先端が、ケース２の、側面板２１ａ，２１ｂ（図２）の小突起２３ａ〜２３ｄに、ばね力を持って圧接し、ケース２を左右から挟むように、ケース２をばね力で押す。これにより板ばね４２ａ〜４２ｄは、ケース２にブラケット４から伝播する左右方向ｘの振動を吸収する。すなわち左右方向ｘの振動の伝播を抑制する。なお、右側面板２１ａ（図２）にある小突起２３ｃと２３ｃの間の３個の同様な小突起、ならびに、左側面板２１ｂにある同様な３個の小突起は、ブラケット４／ケース２間の左右方向ｘの相対的な振動幅を制限し、また、ブラケット４に対するケース２の着脱時のＦ，Ｂ方向のスライドにおいて、ブラケット４に対するケース２の横方向ｘのがたつきを防ぐ。
【００３５】
ケース２の面板２７(図２，図１)は、側面板２１ａ，２１ｂと分離しており、底板２４から垂直に起立しており、しかもかなり高い位置で、ビス２９によって、ブラケット４の、やはり垂直に起立したねじ止め片４７と連結されている。したがって面板２７は、底板２４に対して挿脱方向Ｆ，Ｂに振動し易い。すなわち面板２７が、ケース２にブラケット４から伝播する挿脱方向Ｆ，Ｂの振動を吸収する。すなわち前後方向ｙの振動の伝播を抑制する。また、ケース２に装備したＨＤＤ本体の雄コネクタの接続ピンに、プリント配線板５の雌コネクタ５１のピン受け入れ導体がばね力をもって接続ピンに圧接しているので、この部分も、ケース２にブラケット４から伝播する挿脱方向Ｆ，Ｂの振動を吸収する。すなわち前後方向ｙの振動の伝播を抑制する。
【００３６】
図１および図２を参照すると、ブラケット４の先端開口側にあって、第１側面２１ａに対向する板ばね４２ａ，第２側面２１ｂに対向する板ばね４２ｂ、および、平面（２２ａ，２２ｂ）に対向する第２組の板ばね４３ａ，４３ｂは、挿入方向Ｆ（ｙ）に直交する平面ＰＬ（ｘ，ｚ平面）がケース２と交わる位置においてケース２に圧接する。このように挿入方向Ｆ（ｙ）の同一位置において、第１組および第２組の板ばね４２ａ，４３ａ，４３ｂ，４２ｂがケース２をばね力をもって押さえるので、ケース２を構成する金属板の、先端側の共振振動が抑えられる。
【００３７】
ブラケット４の後端側にあって、第１側面２１ａに対向する板ばね４２ｃ，第２側面２１ｂに対向する板ばね４２ｄ、および、平面（２２ａ，２２ｂ）に対向する第２組の板ばね４３ｃ，４３ｄは、挿入方向Ｆ（ｙ）に直交する平面（ｘ，ｚ平面）がケース２と交わる位置においてケース２に圧接する。このように挿入方向Ｆ（ｙ）の同一位置において、第１組および第２組の板ばね４２ｃ，４３ｃ，４３ｄ，４２ｄがケース２をばね力をもって押さえるので、ケース２を構成する金属板の後端側の共振振動が抑えられる。
【００３８】
特に、ディスク本体１をケース２に固定した、横方向ｘの一直線上に並んだビス３ａ，３ｂの位置の垂直面ＰＬがケース２と交わる位置で、先端開口側の板ばね４２ａ，４３ａ，４３ｂ，４２ｂがケース２に圧接するので、ディスク本体１を一体化したケース２の共振振動の抑制効果が高い。
【００３９】
図１に示すＨＤＤ装置を車両上に搭載し、ナビゲーションシステムに接続した状態では、ケース２に装着されたＨＤＤ本体１内の制御回路基板の機器アース導体は、ＨＤＤ本体１の雄コネクタの機器アースピンおよび雌コネクタ５１のピン受け入れ端子を介して、雌コネクタ５１に接続した電気ケーブルのアース線に電気接続され、該アース線を介して車両上の共通アース導体に電気接続されていると共に、雌コネクタ５１の機器アースピン受け入れ端子がプリント配線板５の表裏面の機器アース導体（５２：表面側のもの）にも接続されて、これらの機器アース導体および一部は更に金属ねじであるビス５５，５６を介して、ブラケット４に電気接続され、ブラケット４が、車両上の共通アース電位にある図示しない金属基板にねじ止めされていることによっても、車両上の共通アース導体に電気接続されている。さらに、ＨＤＤ本体１内の制御回路基板の機器アース導体は、ＨＤＤ本体１の金属製の底板に電気接続され、この底板に、ビス３ａ〜３ｄを介してケース２（の底板２４）が電気接続され、ケース２の小突起２３ａ〜２３ｄと板ばね４２ａ〜４２ｄ間の接触による電気接続，ブラケット４の案内レール４１に対するケース２の接触による電気接続，ケース２のレール２２ａ，２２ｂに対する板ばね４３ａ〜４３ｄの接触による電気接続、および、ビス２９による面板２７／ねじ止め片４７間の電気接続、によってケース２がブラケット４を介して車両上の共通アース導体に電気接続されている。
【００４０】
このようにＨＤＤ本体１から車両上の共通アース導体への電気接続経路が多いので、ＨＤＤ本体１の機器アース導体から車両上の共通アース導体への接地抵抗が小さいので、ＨＤＤ本体１原因のＥＭＩが低減する。板ばね４２ａ〜４２ｄ／小突起２３ａ〜２３ｄ間および板ばね４３ａ〜４３ｄ／レール２２ａ，２２ｂ間のばね力がある機械的接触は、機械的接触（電気接続）の信頼性および安定性が高いので、ＨＤＤ本体１が発生するＥＭＩを機器アースに吸収して低減する電気ノイズ低減の信頼性および安定性を期待できる。
【００４１】
なお、板ばね４２ａ〜４２ｄ，４３ａ〜４３ｄは、例えば図５に示すように、ケース２側に凸になるように曲げたものとしても良い。あるいは、ケース２側に凸になるように「く」の字型に曲げたものとしてもよい。そうすると、ケース２をブラケット４に差し込む挿入方向Ｆおよびケース２をブラケット４から取り外す引き出し方向Ｂのいずれにおいても、板ばねの先端（自由端）がケース２の小突起に引っかかることなく、滑らかに摺接する。ブラケット４に対してケース２を、よりスムースに挿脱できる。
【図面の簡単な説明】
【００４２】
【図１】本発明の一実施例のＨＤＤ装置を示し、（ａ）は平面図、（ｂ）は左側面図、（ｃ）は右側面図である。
【図２】図１に示すＨＤＤ装置の分解斜視図である。
【図３】図２に示すブラケット４の一部分ＳＩＬを拡大して示す拡大斜視図である。
【図４】図２に示すブラケット４の尾端側を示す斜視図である。
【図５】前記実施例の変形態様を示す、図３相当の拡大斜視図である。
【符号の説明】
【００４３】
１：ＨＤＤ本体
２：ケース
２１ａ，２１ｂ：側面版
２２ａ，２２ｂ：レール
２３ａ〜２３ｄ：小突起
２４：底板
２５ｄ：ねじ通し穴
２７：面板
２８：ねじ通し穴
３ａ〜３ｄ：ビス
４：ブラケット
４１：案内レール
４２ａ〜４２ｄ：板ばね
４３ａ〜４３ｄ：板ばね
４４ａ，４４ｂ：ビス穴
４５：開口
４６：ビス穴
４７：ねじ止め片
５：プリント配線板
５１：雌コネクタ
５２：機器アース導体
５３，５４：ねじ通し穴
５５，５６：ビス
５７：係止用突起         
【図１】
0004462310.tif 000002
【図２】
0004462310.tif 000003
【図３】
0004462310.tif 000004
【図４】
0004462310.tif 000005
【図５】
0004462310.tif 000006